(57)【要約】【課題】  従来のコンピュータを用いた機器制御システムは人間が操作する場合一定の知識や経験を必要とし、家庭、公共施設、商業施設などに応用するには問題があった。【解決手段】  本考案の機器制御システムは人間が操作する手段としてＩＣカードなどの携帯または移動可能な識別情報を記憶できる装置を用いることにより、煩雑な操作を簡単に行うことができる機器制御システムである。【選択図】  図１
0003101888.tif 000002
【実用新案登録請求の範囲】
【請求項１】
ネットワーク上から各種の操作が可能な電気機器、あるいはネットワーク上から各種の操作が可能な電気装置により操作が可能な機器がネットワークに接続され、ネットワーク上から該機器を制御することが可能な自動制御システムにおいて、あらかじめ該各機器の動作状態を記憶する記憶装置と、携帯または移動可能な識別情報記憶装置と該識別情報記憶装置から識別情報を読み出す手段を備え、読み出された識別情報に応じて記憶装置に記憶された機器の動作状態を実行する制御システム。
【考案の詳細な説明】
【技術分野】
【０００１】    本考案は一般家庭、公共施設、商業施設などにおいて設定、操作を簡単にした機器制御システムに関する。
【背景技術】
【０００２】  従来の一般家庭、公共施設、商業施設などにおける機器制御システムにおいて、機器の動作状態の設定を変更したり、手動での操作を行う場合、コンピュータの操作画面を用いて操作するなどしていた。
また、小型の専用操作端末を備えたものなどがあった。
【考案の開示】
【考案が解決しようとする課題】
【０００３】  上記のコンピュータ画面等による操作は該当する機器に対応した画面を選択しさらに動作を指定するなど操作の回数が多く、また複数の機器を操作する場合はさらに操作が煩雑になる。またコンピュータに関する基本的な操作の知識や経験が必要である。
【課題を解決するための手段】
【０００４】    本考案は、携帯または移動可能な識別情報記憶装置と、該識別情報記憶装置から識別情報を読み出す手段と、各機器の動作状態を記憶する記憶装置を備えることにより、識別情報記憶装置から識別情報を読み出し、その識別情報をもとに各機器の動作状態の変更や手動での操作を処理装置で制御することにより問題を解決している。
【考案の効果】
【０００５】  上記のように本考案の制御システムは、識別情報記憶装置から識別情報を読み取らせるだけで、各機器の動作状態の変更や手動操作を、特別な知識や経験を必要とすることなく簡単に行うことができる。
【考案を実施するための最良の形態】
【０００６】  携帯または移動可能な識別情報記憶装置としてＩＣカード、記憶された識別情報を読み出す手段としてＩＣカードリーダ、各機器の動作状態を記憶する記憶装置としてパーソナルコンピュータを備えた制御システムで、パーソナルコンピュータはネットワークに接続され、ネットワークにはネットワーク上から制御可能な機器が１台あるいは複数台接続されている。また、パーソナルコンピュータは機器を制御する処理装置でもある。
【実施例】
【０００７】本考案の実施例を図１にしたがって説明する。前記のようにネットワーク（５）にはネットワーク（５）から制御可能な機器（１）、この場合は照明機器、オーディオ関連機器、空調機器などの家庭電気製品と、これらの機器（１）を制御するためのパーソナルコンピュータ（３）と、本考案によるＩＣカードリーダ（２）が接続されている。パーソナルコンピュータ（３）には各電気製品の動作状態を変更するための操作命令（以下コマンド）が複数パターン記憶されている。ＩＣカード（４）にはパーソナルコンピュータ（３）に記憶された電気製品の操作命令のパターンを選択して実行するための識別情報（以下ＩＤ）が記憶されている。【０００８】  説明を分かり易くするため、接続される電気製品を具体的に設定して説明するが、接続される電気製品は実施例に挙げる種類、数量である必要はない。【０００９】  図１に示すようにネットワーク（５）にはネットワーク（５）から設定、操作可能な機器（１）、図１においては電源の入り切りあるいは調光が可能な照明が６台、各種操作が可能なテレビモニタ、ビデオテープレコーダ、ブラインドが１台、エアコンが３台接続され、それぞれ図１に示すように「居間」「子供部屋」「寝室」に設置されているものとする。ＩＣカード（４）は複数枚準備されそれぞれには単一で無二のＩＤが記憶されそれぞれ使用者、使用場所（部屋）、用途に応じた名称で区別されている。実施例ではＩＤ１は「居間：暖房」、ＩＤ２は「居間：映画」、ＩＤ３は「子供部屋：勉強」、ＩＤ４は「寝室：読書」などのＩＣカード（４）が準備され、この場合ＩＣカードリーダ（２）もそれぞれの部屋に備えられているものとする。【００１０】  さらにネットワーク（５）に接続されたパーソナルコンピュータ（３）には各機器（１）をＩＤに対応して機器を所望の動作状態に制御するための一連のコマンドが複数記憶されている。例えばＩＤ１は「居間のエアコンの電源を入れ暖房モードに切り替え、温度設定を２５℃にする」、ＩＤ２は「居間のエアコンの電源を入れオートモードに切り替える。テレビモニタとビデオテープレコーダの電源を入れ、テレビモニタの入力を外部入力１（ビデオ）に切り替える。ブラインドを閉じ照明をやや暗めに点灯する。」、ＩＤ３は「子供部屋のエアコンの電源を入れオートモードに切り替える。照明を明るく点灯する。机のライトを点灯する。」、ＩＤ４は「寝室の照明を暗めに点灯する、スタンドも点灯する。」などの各機器（１）の動作状態を設定するコマンドのパターンがあらかじめ記憶されている。【００１１】  動作の一例を説明する。たとえば居間でビデオ鑑賞する場合は、使用者は居間に来て「居間：映画」のＩＣカード（４）をＩＣカードリーダ（２）に読み込ませる。カードリーダ（２）は読み取ったＩＤを、ネットワーク（５）を通じてパーソナルコンピュータ（３）に送る。ＩＤを受け取ったパーソナルコンピュータ（３）はＩＤを解析してＩＤに応じたコマンドのパターンを読み出し、各機器（１）を制御するためのコマンドを再構成して各機器（１）を制御し、エアコン、照明、テレビモニタ、ビデオ、ブラインドなどの機器（１）を所望の動作状態に設定する。つまり、使用者はＩＣカード（４）を���Ｃカードリーダ（２）に読み込ませるだけで、複数の機器（１）の操作を行ったのと同様の結果を得ることができる。【００１２】  前記実施例では、携帯または移動可能な識別情報記憶装置と該識別情報記憶装置から識別情報を読み出す手段を、ＩＣカードとＩＣカードリーダとしたが本考案はこれに限定するものではなく、単一無二の識別情報を記憶、読み出しできる装置であれば他の方法でも実施可能である。パンチカード、マークカード、磁気カードなども考えられる。また識別情報記憶装置の形状もカードに限定するものではない。板状、棒状、メダル状なども考えられる。【００１３】  また、上記実施例では動作状態を記憶する装置、及び機器を制御する処理装置として説明の便宜上パーソナルコンピュータを例に挙げたが、同様の機能を実現できるものであれば他の手段でも実施可能である。例えば、カードリーダに記憶機能がありカードリーダが各機器を制御する方法も考えられる。また、各機器に記憶機能があり、カードリーダからのＩＤに基づいて自らの動作状態を変更する方式も考えられる。
【図面の簡単な説明】
【００１４】
【図１】本考案の実施形態の例
【符号の説明】
【００１５】    １  制御される機器
２  ＩＣカードリーダ
３  パーソナルコンピュータ
４  ＩＣカード
５  ネットワーク
【図１】
0003101888.tif 000003